(57)【要約】【課題】異なるプラットフォームを有するデータベース間の低コストで、高能率なアクセスや検索を可能とすること。【解決手段】異なるプラットフォームを有するデータベース１−１，１−２間をネットワーク３を介して緩やかに結合することにより、前記データベース１−１，１−２に接続された端末２−１，２−２およびネットワーク３に直接接続された端末５−１，５−２が自由にアクセスし、検索できる検索空間４−１，４−２を構成し、各データベース１−１，１−２は前記検索空間４−１，４−２にその基本情報のみを公開することにより、データベースのプラットフォームを変更することなく、また、データベース連携サーバ等を必要とすることなく、データベース間の連携を可能とする。【選択図】            図１
2004310455.tif 000002
【特許請求の範囲】
【請求項１】
異なるプラットフォームを有するデータベース間のアクセスや検索を可能とする分散データベース連携システムであって、
前記データベース間をネットワークを介して緩やかに結合することにより、前記データベースに接続された端末およびネットワークに直接接続された端末が自由にアクセスし、検索できる検索空間を構成し、
各データベースは前記検索空間にその基本情報のみを公開する
ことを特徴とする分散データベース連携システム。
【請求項２】
データベースに接続された端末は、当該データベースの情報の変更をリアルタイムに検索空間に公開することを特徴とする請求項１に記載の分散データベース連携システム。
【請求項３】
各データベースの基本情報以外の詳細情報の取得は、データベース間で直接行われることを特徴とする請求項１又は２に記載の分散データベース連携システム。
【請求項４】
検索空間に公開された基本情報はデータベース間で共有され、前記データベースに接続された端末およびネットワークに直接接続された端末が、これを検索対象とすることを特徴とする請求項１乃至３のいずれかに記載の分散データベース連携システム。
【請求項５】
ネットワークに直接接続された端末は自身が持つ情報を検索空間に公開し、自身が前記検索空間に接続されたデータベースを構成することを特徴とする請求項１乃至４のいずれかに記載の分散データベース連携システム。
【請求項６】
データベースまたはネットワークに直接接続された端末が検索空間に情報を公開する場合、前記端末が公開する情報の名称を前記検索空間で使用されている他の情報の名称と整合させることを特徴とする請求項１乃至５のいずれかに記載の分散データベース連携システム。
【発明の詳細な説明】
【０００１】
【発明の属する技術分野】
本発明は、異なるプラットフォームを有するデータベース間の連携を行うシステムに関し、より詳細には、データベース間をネットワークにより緩やかに結合し、低コスト、高能率なアクセスや検索を可能とするシステムに関する。
【０００２】
【従来の技術】
従来のデータベース連携システムでは、データベース間の連携を処理するデータベース連携サーバを必要とし、このため多くの設備を要し（例えば、特許文献１参照）、またオントロジ等の検索情報の共通化のために、連携データベースの構築にも、またこれを利用するユーザにも膨大な作業や負担が必要であった。以上のような理由から、これまでは、既存データベースをそのまま用いた異なるデータベース間の速やかな連結は困難であった。
【０００３】
【特許文献１】
特開２００２−９４５６１号公報
【０００４】
【発明が解決しようとする課題】
本発明は、上述した、従来のデータベース間の連携に多くの設備や膨大な作業、負担などを要する問題を解決し、既存のデータベースをそのまま使用し、データベース間をネットワークにより緩やかに結合し、低コスト、高能率なアクセスや検索を可能とするシステムを提供することを目的とする。
【０００５】
【課題を解決するための手段】
本発明の第１の態様では、異なるプラットフォームを有するデータベース間のアクセスや検索を可能とする分散データベース連携システムであって、前記データベース間をネットワークを介して緩やかに結合することにより、前記データベースに接続された端末およびネットワークに直接接続された端末が自由にアクセスし、検索できる検索空間を構成し、各データベースは前記検索空間にその基本情報のみを公開することを特徴とする。
【０００６】
前記構成によれば、データベースのプラットフォームを変更することなく、また、データベース連携サーバ等を必要とすることなく、基本情報をベースにデータベース間の連携を行うことが可能となる。
【０００７】
また、本発明の第２の態様では、データベースに接続された端末は、当該データベースの情報の変更をリアルタイムに検索空間に公開することを特徴とする。
【０００８】
前記構成によれば、データベースにおける情報の変更が検索空間にリアルタイムに反映される。
【０００９】
また、本発明の第３の態様では、各データベースの基本情報以外の詳細情報の取得は、データベース間で直接行われることを特徴とする。
【００１０】
前記構成によれば、基本情報以外の詳細情報についても、データベースに接続された端末から検索可能となる。
【００１１】
また、本発明の第４の態様では、検索空間に公開された基本情報はデータベース間で共有され、前記データベースに接続された端末およびネットワークに直接接続された端末が、これを検索対象とすることを特徴とする。
【００１２】
また、本発明の第５の態様では、ネットワークに直接接続された端末は自身が持つ情報を検索空間に公開し、自身が前記検索空間に接続されたデータベースを構成することを特徴とする。
【００１３】
前記構成によれば、ネットワークに直接接続された端末が持つ情報についても、データベースに接続された端末もしくはネットワークに直接接続された他の端末から検索可能となる。
【００１４】
また、本発明の第６の態様では、データベースまたはネットワークに直接接続された端末が検索空間に情報を公開する場合、前記端末が公開する情報の名称を前記検索空間で使用されている他の情報の名称と整合させることを特徴とする。
【００１５】
前記構成によれば、オントロジの共通化をリアルタイムに行い、データベース間で情報のシンクロ検索を可能とすることができる。
【００１６】
【発明の実施の形態】
以下、図面を用いて本発明の構造と動作を説明する。以下の説明は、本発明の理解を助けるものであって、本発明の請求範囲を制限するものではない。また、以下の図面では本発明を実現する上で同じ機能を持つ構成要素には同じ番号を付与するものとする。
【００１７】
図１は、本発明によるＰ２Ｐ型分散データベース連携システムの構成を説明するもので、図中、１−１，１−２は異なるプラットフォームを有する、例えば図書館等のデータベース、２−１，２−２はそれぞれデータベース１−１，１−２に接続された端末、３はデータベース間を結合するネットワークである。なお、ネットワーク３としてはＰ２Ｐネットワークを対象とするが、Ｐ２Ｐネットワークに制限されるわけではない。また、４−１，４−２，４−３はネットワーク３上に形成される検索空間、５−１，５−２はネットワーク３に直接接続された端末である。
【００１８】
図１において、データベース１−１および１−２はネットワーク３により、データベース自体の構造を合わせるプラットフォームを変更することなく、緩やかに結合され、データベース１−１と１−２との間でアクセスや検索が可能となる検索空間４−１および４−２を形成し、各データベース１−１，１−２は前記検索空間４−１，４−２にその情報を公開する。
【００１９】
データベース、例えば１−１の情報が変更されると、該データベース１−１に接続された端末２−１が、この変更をリアルタイムに検索空間４−１に公開する。
【００２０】
検索空間４−１，４−２に公開された情報は、各データベース１−１，１−２間で共有され、データベース１−１，１−２に接続された端末２−１，２−２やネットワークに直接接続された端末５−１，５−２が検索の対象とする。公開情報は、データベース１−１，１−２が持つ情報中の基本情報のみとし、基本情報の検索及び取得は検索空間４−１，４−２においてＰ２Ｐで行われ、基本情報以外の詳細情報の取得は各データベース１−１と１−２との間においてＰ２Ｐで直接行われる。
【００２１】
ネットワーク３に直接接続された端末、例えば５−１は、検索空間４−１または４−２にアクセスし、データベース１−１または１−２が持つ情報をリアルタイムに検索することが可能である。
【００２２】
また、同じくネットワーク３に直接接続された端末、例えば５−２は、自身が持つ情報を発信する、すなわち自身が持つ情報を検索空間、例えば４−３に公開し、自身が前記検索空間４−３に接続されたデータベースを構成することも可能である。これにより、例えば個人蔵書を一般に公開し、いわば個人図書館の開設が可能となる。このような個人図書館では、多くの検索対象の中で、個人の持つ情報に的を絞った検索、公開を可能にするという特徴を発揮することができる。また、地方博物館等もこの例に該当する。
【００２３】
データベース１−１，１−２が検索空間４−１，４−２に情報を公開する場合、または自身がデータベースとなる端末５−２が検索空間４−３に情報を公開する場合、公開する情報を検索空間４−１，４−２で使用される他の情報と名称を整合させることにより、リアルタイムにオントロジの共通化を行う。
【００２４】
以上により、本発明によるＰ２Ｐ型分散データベース連携システムによれば、従来のデータベース連携システムが必要とした、データベース間の連携を処理するデータベース連携サーバ等の多くの設備を不要とし、検索情報の共通化のための連携データベースの構築にも、またこれを利用するユーザにも膨大な作業や負担を不要とする効果がある。さらに、個人的色彩の強い、きめ細かな情報の検索、公開も可能となる。
【００２５】
図２は、本発明によるＰ２Ｐ型分散データベース連携システムの動作を説明するもので、図中、Ａは情報の公開を行う動作、Ｂは公開情報の検索を行う動作、Ｃは詳細情報の検索を行う動作をそれぞれ示す。
【００２６】
図２において、情報の公開を行う動作Ａは、公開する情報を検索空間４−１，４−２において使用されるオントロジに変換して公開することを示す。
【００２７】
公開情報の検索を行う動作Ｂは、検索する情報が、検索を行う端末、例えば２−１が接続されるデータベース１−１には存在せず、検索空間４−１または４−２においてＰ２Ｐ検索を行うことを示す。
【００２８】
詳細情報の検索を行う動作Ｃは、検索する情報が、検索を行う端末、例えば２−１が接続されるデータベース１−１には存在せず、しかも検索する情報が詳細情報であり、検索がデータベース１−１および１−２間においてＰ２Ｐで行われることを示す。
【００２９】
【発明の効果】
以上説明したように、本発明による分散データベース連携システムによれば、異なるプラットフォームを有するデータベース間をネットワークを介して緩やかに結合することにより、前記データベースに接続された端末およびネットワークに直接接続された端末が自由にアクセスし、検索できる検索空間を構成し、各データベースは前記検索空間にその基本情報のみを公開することにより、従来のデータベース連携サーバ等の多くの設備を必要としたり、また検索情報の共通化のために、連携データベースの構築にも、またこれを利用するユーザにも膨大な作業または負担が必要であったりした問題を解決し、既存データベースをそのまま用いた異なるデータベース間の速やかな連結を実現できる。
【００３０】
これにより、データベース間の低コスト、高能率なアクセスや検索を可能となる他、さらに、個人的、地方的色彩の強い、きめ細かな情報の検索、公開も可能となる。
【図面の簡単な説明】
【図１】本発明によるＰ２Ｐ型分散データベース連携システムの構成を説明する図
【図２】本発明によるＰ２Ｐ型分散データベース連携システムの動作を説明する図
【符号の説明】
１−１，１−２：データベース、２−１，２−２，５−１，５−２：端末、３：ネットワーク、４−１，４−２，４−３：検索空間。
【図１】
2004310455.tif 000003
【図２】
2004310455.tif 000004